(57)【要約】      （修正有）【課題】自力で足を動かせない人を介護する時に、介護者の足腰への負担を軽減させる事を目的とした足持ち上げ用の持ち手付履物を提供する。【解決手段】足の履き口部と袋状の収納部と足底部を有する履物１において、前記足底部の中央付近の土踏まず側から足甲側を経た周囲に非伸縮性あるいは伸縮性の低い素材よりなるバンド状の持ち手４を取り付けたことにより、手足の不自由な人の足位置移動時にそのバンド状の持ち手４を使って足を持ち上げる事で介護者は足腰を深く曲げなくても低い位置にある被介護者の足を動かす動作が可能になる。更には被介護者も足甲を直接つかまれないので苦痛が軽減されるなど、両者共に負担軽減することが出来る。【選択図】図１
0003179196.tif 000002
【実用新案登録請求の範囲】
【請求項１】
足の履き口部と袋状の収納部と足底部を有する履物において、前記足底部の中央付近の土踏まず側から足甲側を経た袋状の収納部の周囲に非伸縮性あるいは伸縮性の低い素材よりなるバンド状の持ち手を取り付けたことを特徴とする持ち手付履物。
【請求項２】
前記持ち手は、袋状の収納部の足甲側の一部を縫着せず、ここに手指をくぐらせる部分を設けたことを特徴とする請求項１に記載の持ち手付履物。
【請求項３】
前記持ち手は、袋状の収納部の足甲側の一部を除き周囲に取り付けたことを特徴とする請求項１及び請求項２に記載の持ち手付履物。
【考案の詳細な説明】
【技術分野】
【０００１】
本考案は、自力で足を動かせない人に使用する持ち手付履物に関する。
【背景技術】
【０００２】
手足の不自由な人はいろいろな動作をする場合に支障をきたすことが多い。その中で履物の一つである靴下を履くことも例外ではない。その為に足の挿入部から踵部にかけて立体的な筒状に自立させ履きやすくしたものが提案された。（特許文献１）
この様に手足の不自由な人が容易に靴下を履けるようにしたものは他にも先行技術として開示されている。（特許文献２）
一方、手足の不自由な人は自力で足の上げ下ろしが困難で、例えば車椅子への移動時や寝床で足位置を変更する場合は、介護者が介護される人（以下、 被介護者とする）の足を持ち上げて動かしている。
【０００３】
しかしながら、例えば車椅子への移動の場合、被介護者を介護する人（以下、 介護者とする）が被介護者の足元の低い位置まで腰を曲げるなどして姿勢を低くし、被介護者の足を片方ずつ手で持ち上げて動かさなければならず、介護者の足腰への負担が大きかった。
【先行技術文献】
【特許文献】
【０００４】
【特許文献１】特開２００９−１１４５６３号公報
【特許文献２】特開２００７−１１３１４４号公報
【考案の概要】
【考案が解決しようとする課題】
【０００５】
自力で足を持ち上げる事が出来ない人を車椅子へ移動させる場合や寝床で足位置を変更する場合、介護者が被介護者の膝を持つか、足首や足甲を手でつかんで持ち上げなければならない。その時被介護者の足が低い位置にあれば介護者は腰を深く折り曲げたり、膝を折って姿勢を低くするなどして介護する必要があった。
【０００６】
その為、介護者の足腰への負担は大きく、時には被介護者も介護者から足甲を強くつかまれて苦痛を訴えることもある。本考案は介護者が足腰を深く曲げることなく、被介護者も苦痛が少なく足を持ち上げる事が出来る持ち手付履物を提供することを目的とする。
【課題を解決するための手段】
【０００７】
本考案は、足の履き口部と袋状の収納部と足底部を有する履物において、前記足底部の中央付近の土踏まず側から足甲側を経た袋状の収納部の周囲に非伸縮性あるいは伸縮性の低い素材よりなるバンド状の持ち手を取り付けたものである。
【０００８】
前記持ち手は、袋状の収納部の足甲側の一部を縫着せず、ここに手指をくぐらせる部分を取り付けたものである。
【０００９】
また、前記持ち手は袋状の収納部の足甲側の一部を除き周囲に取り付けたものである。
【考案の効果】
【００１０】
前述した目的を達成するため検討を重ねた結果、足の履き口部と袋状の収納部と足底部を有する履物において、足底部の中央付近の土踏まず側から足甲側を経た袋状の収納部の周囲に非伸縮性あるいは伸縮性の低い素材よりなるバンド状の持ち手を取り付けたもので、手足の不自由な人の足位置移動時にそのバンド状の持ち手を使って足を持ち上げる事で介護者は足腰を深く曲げなくても低い位置にある被介護者の足を動かす動作が可能になる。
【００１１】
さらには、被介護者も足甲を直接つかまれないので苦痛が軽減されるなど、両者共に負担軽減することが出来る。加えて、例えばバンド状の持ち手のみを介助用具とした場合、身近に保管場所を確保すると同時に管理を行わなければならず、使用時はいちいち装着が必要となるが、本考案の持ち手付履物を履くことで、履物本来の機能である足の保温や保護をすると同時にバンド状の持ち手を常時装着している状態となり必要な時に即使用可能となる。
【００１２】
前記バンド状の持ち手は袋状の収納部の足甲側の一部を縫着せず、ここに手指が入る部分を設けることで、これに手指をくぐらせれば被介護者の足を容易に持ち上げることが出来る。
【００１３】
さらに、このバンド状の持ち手は、袋状の収納部への取り付けにおいて足甲側の一部を除き周囲を縫着し、バンド状の持ち手の両端部分を重ね合わせて縫着することで強度が上がる。
【図面の簡単な説明】
【００１４】
【図１】本考案の持ち手付履物の外観図である
【図２】同じく持ち手付履物の裏面図である
【図３】同じく持ち手付履物の持ち手の取り付け位置を示すＡ-Ａの断面図である
【考案を実施するための形態】
【００１５】
以下、本考案の実施形態を図面に基づいて説明する。
【００１６】
図１において、本考案に係る履物１は、足の履き口部２と、足が入る袋状本体３と、前記袋状本体３に取り付けられた持ち手部４から構成されている。袋状本体３の形態は、つま先部５と踵部６と足底部７と足甲部８と足首立ち上がり部９からなり、その材質並びに伸縮性は特に限定されない。
【００１７】
前記持ち手部４の材質や形状は布製に限らず皮革製やレース状などでもよく、伸縮性については非伸縮性か或いは伸縮性が低く足を持ち上げるに十分な強度のある素材であればよい。
【００１８】
前記持ち手部４の取り付け位置と取り付け方法について説明する。取り付け位置は図１〜図２に示す通り、袋状本体３のつま先部５から踵部６までの間の足底中央部１０付近であって、足底部７側から足甲部８側を経て一周させた位置となる。取り付け方法は図３に示す通り、袋状本体３に縫着する部分は縫い止め部１３ａから土踏まず側１１を経て縫い止め部１３ｂまでであり、縫着方法は例えば並縫いなどでも良く、確実に取り付ける。袋状本体３に縫着しない部分は縫い止め部１３ａから足甲側１２を経て縫い止め部１３ｂまでで、足甲との間に手指４本が入る程度の横幅及び上下の空間を形成するような緩みをもたせる。結果、前記持ち手部４を袋状本体３に縫着しない部分が足を持ち上げる為の持ち手となる。
【００１９】
持ち手部４は、前記袋状本体３への取り付けにおいてバンド状の持ち手の両端部分を重ね合わせて縫着することで強度が上がる。重ね合わせの位置は足底部が好ましい。側面では靴を履いた時に重ね合わせによる厚み部分が足に当たる懸念がある為。幅は１．２〜２．５ｃｍ程度が好ましく、その長さは足底中央部１０付近の土踏まず側１１から足甲側１２を経て一周した周囲の長さに手指を通す部分の緩み分を加えたものを標準とする。
【００２０】
履き口部２ではゴム糸を挿入していない場合を例示しているが、これに制約されるものではなく、履き口部２に柔軟性を持たせる為に口ゴムを設けてもよい。また、足首部立ち上がり部９の長さは一定ではなく、スムーズな着脱が行えるなど被介護者の身体状況や使用状況に応じたものを提供する。
【産業上の利用可能性】
【００２１】
本考案は、従来からある靴下状のものに限らず、例えばルームシューズの様な多様な形状のものにも取り付け可能で、使用場面に応じた持ち手付履物が提供出来る。
【符号の説明】
【００２２】
１  履物
２  履き口部
３  袋状本体
４  持ち手部
５  つま先部
６  踵部
７  足底部
８  足甲部
９  足首立ち上がり部
１０  足底中央部
１１  土踏まず側
１２  足甲側
１３ａ  縫い止め部
１３ｂ  縫い止め部
【図１】
0003179196.tif 000003
【図２】
0003179196.tif 000004
【図３】
0003179196.tif 000005